(57)【要約】【課題】  手が不自由で、シリンダ錠の鍵孔に差し込んだ合鍵を回せない人でも施解錠が可能な施解錠機構を提供する。【解決手段】  扉の外面に装着され、シリンダ錠が上下できる幅の案内洞３を扉厚方向に貫通させたガイドブロックと、このガイドブロックの前面開口を覆って上下方向に移動可能に案内され、シリンダ錠の内筒の前端を掴持する態様でこれと一体的に結合されたスライダを設け、一方、シリンダ錠の外筒８の内筒に対する相対角度位置を、内筒の鍵孔に合鍵を挿抜できる基準角度位置方向に付勢するばね装置を設け、他方、案内洞の一方の内側面中央に突部１８を突設すると共に、シリンダ錠の外筒８の母線を挟んで対称的に一対の凹部１９、１９を形成し、これら突部及び凹部の断面形状を、ころがり接触或いはこれに近似した係合をなすように設定する。【選択図】  図３
2006342637.tif 000002
【特許請求の範囲】
【請求項１】
扉の外面に装着され、シリンダ錠が上下できる幅の案内洞を扉厚方向に貫通させたガイドブロックと、このガイドブロックの前面開口を覆って上下方向に移動可能に案内され、シリンダ錠の内筒の前端を掴持する態様でこれと一体的に結合されたスライダと、ガイドブロックの内側において上下方向に移動可能に案内され、テールピースを介してシリンダ錠の内筒に連結された駆動ラックと、錠箱内の錠止機構に連結され、駆動ラックと噛み合い係合するピニオンとを設け、一方、シリンダ錠の外筒の内筒に対する相対角度位置を、内筒の鍵孔に合鍵を挿抜できる基準角度位置方向に付勢するばね装置を設け、他方、案内洞の一方の内側面中央に突部を突設すると共に、基準角度位置におけるシリンダ錠を正面から見て、かつ時計盤面に換算して３時又は９時の角度位置の一方で、案内洞の突部に対向する側のシリンダ錠の外筒の母線を挟んで対称的に一対の凹部を形成し、これら突部及び凹部の扉面に平行な平面による断面形状を、シリンダ錠の内筒と外筒との拘束を解いた状態でスライダを上下させたとき、ころがり接触或いはこれに近似した係合をなすように設定したことを特徴とする施解錠機構。
【請求項２】
扉の外面に装着され、シリンダ錠が上下できる幅の案内洞を扉厚方向に貫通させたガイドブロックと、このガイドブロックの前面開口を覆って上下方向に移動可能に案内され、シリンダ錠の内筒の前端を掴持する態様でこれと一体的に結合されたスライダと、案内洞の一方の側面に形成されたラック歯列と、シリンダ錠の外周面に形成され、案内洞のラック歯列と噛み合う歯車と、ガイドブロックの内側において上下方向に移動可能に案内され、テールピースを介してシリンダ錠の内筒に連結された駆動ラックと、錠箱内の錠止機構に連結され、駆動ラックと噛み合い係合するピニオンとを設け、シリンダ錠の鍵孔に合鍵を挿入後これを上下させることにより、駆動ラックをシリンダ錠と一体的に上下させ、以てピニオンを介して錠箱内の錠止機構を制御するようにしたことを特徴とする施解錠機構。
【請求項３】
上記スライダとガイドブロックの摺動面を跨いで、上下方向に延在するばね収納洞を形成し、このばね収納洞にばね部材を弾装したことを特徴とする請求項１又は２に記載の施解錠機構。
【発明の詳細な説明】
【技術分野】
【０００１】
この発明は、新規な施解錠機構（以下単に施解錠機構という）に係り、特に、手が不自由で、シリンダ錠の鍵孔に差し込んだ合鍵を回せない人でも施解錠が可能な施解錠機構に関する。
【背景技術】
【０００２】
本出願人は、先に、後記特許文献１を以て、本願に関連する施解錠機構を提案している。
【０００３】
特許文献１を以て提案された施解錠機構は、外側スライダに担持されたシリンダ錠の鍵孔に合鍵を挿し込み、合鍵を回さずにこれをその侭上げ下げするものである。
【特許文献１】特願２００５−０４０８２９
【発明の開示】
【発明が解決しようとする課題】
【０００４】
周知のように、扉や引戸、或いはロッカーの扉を開けるときには、装着されたシリンダ錠の内筒に合鍵を差し込んで、その合鍵と共にシリンダ錠の内筒を所定の方向に所定の角度回すことが必要である。
【０００５】
それは、従来からの施解錠機構は、例えば扉を扉枠に錠止し或いは係止するデッドボルトやラッチボルトを、回転する内筒の内端に装着したテールピースや所謂ダルマカムを介して錠箱から出し入れするように構成されているからである。
【０００６】
しかしながら、手が不自由で、合鍵をシリンダ錠の鍵孔に差し込むことはできても、これを回せない（腕を捩ることができない）人は大勢居り、このように手が不自由な人にとって、従来の施解錠機構を備えた錠前は使用できない、という不都合がある。
【０００７】
上記特許文献１に記載された発明は勿論所期の機能を発揮し、腕を捩ることができない人でも錠前の施解錠操作が簡単にできるようになったが、この発明は、特許文献１に記載された発明を更に改良し、装置全体をコンパクトにすることを目的としている。
【０００８】
また、請求項２に記載された発明は、簡単な機構で装置の作動を確実にすることを目的としている。
【０００９】
更にまた、請求項３に記載された発明は、スライダを常態位置に定座するように付勢し、以て施解錠の区別を表示しないようにすることを目的としている。
【課題を解決するための手段】
【００１０】
上記の目的を達成するため、請求項１に記載の発明は、扉の外面に装着され、シリンダ錠が上下できる幅の案内洞を扉厚方向に貫通させたガイドブロックと、このガイドブロックの前面開口を覆って上下方向に移動可能に案内され、シリンダ錠の内筒の前端を掴持する態様でこれと一体的に結合されたスライダと、ガイドブロックの内側において上下方向に移動可能に案内され、テールピースを介してシリンダ錠の内筒に連結された駆動ラックと、錠箱内の錠止機構に連結され、駆動ラックと噛み合い係合するピニオンとを設け、一方、シリンダ錠の外筒の内筒に対する相対角度位置を、内筒の鍵孔に合鍵を挿抜できる基準角度位置方向に付勢するばね装置を設け、他方、案内洞の一方の内側面中央に突部を突設すると共に、基準角度位置におけるシリンダ錠を正面から見て、かつ時計盤面に換算して３時又は９時の角度位置の一方で、案内洞の突部に対向する側のシリンダ錠の外筒の母線を挟んで対称的に一対の凹部を形成し、これら突部及び凹部の扉面に平行な平面による断面形状を、シリンダ錠の内筒と外筒との拘束を解いた状態でスライダを上下させたとき、ころがり接触或いはこれに近似した係合をなすように設定したことを特徴とする。
【００１１】
また、請求項２に記載の発明は、扉の外面に装着され、シリンダ錠が上下できる幅の案内洞を扉厚方向に貫通させたガイドブロックと、このガイドブロックの前面開口を覆って上下方向に移動可能に案内され、シリンダ錠の内筒の前端を掴持する態様でこれと一体的に結合されたスライダと、案内洞の一方の側面に形成されたラック歯列と、シリンダ錠の外周面に形成され、案内洞のラック歯列と噛み合う歯車と、ガイドブロックの内側において上下方向に移動可能に案内され、テールピースを介してシリンダ錠の内筒に連結された駆動ラックと、錠箱内の錠止機構に連結され、駆動ラックと噛み合い係合するピニオンとを設け、シリンダ錠の鍵孔に合鍵を挿入後これを上下させることにより、駆動ラックをシリンダ錠と一体的に上下させ、以てピニオンを介して錠箱内の錠止機構を制御するようにしたことを特徴とする。
【００１２】
更にまた、請求項３に記載の発明は、上記スライダとガイドブロックの摺動面を跨いで、上下方向に延在するばね収納洞を形成し、このばね収納洞にばね部材を弾装したことを特徴とする。
【発明の効果】
【００１３】
上記のように構成された請求項１に記載の発明は、合鍵をシリンダ錠の鍵孔に挿し込んでこれを上下方向に押動することにより、腕を捩らなくても施解錠操作が可能である、という所期の効果を奏する。
【００１４】
また、合鍵の挿入によって内筒から自由になった外筒を、合鍵を上げ下げする操作により回転させるため、案内洞の突部と外筒の凹部との係合によるころがり接触を利用したので、ラックとピニオンを利用した上記特許文献１に記載の施解錠機構と比較して、構成が簡単かつコンパクトになる。
【００１５】
更にまた、合鍵を挿入しない限りシリンダ錠の内筒と外筒との係合が解けず、したがって施解錠操作ができないので、シリンダ錠の本来の機能を損うことがない、など種々の効果を奏する。
【００１６】
請求項２に記載の発明は、簡単な機構で、スライダの上下動をピニオンの回転に確実に変換することができる、という所期の効果を奏する。
【００１７】
更にまた、請求項３に記載の発明は、請求項１、２に記載の発明の効果に加えて、スライダを常時常態位置に保つため、シリンダ錠の施、解錠の別を外見から判別することを阻止し、錠前としての安全性を孔錠させる、という別の効果を奏する。
【発明を実施するための最良の形態】
【００１８】
シリンダ錠の鍵孔に合鍵を挿入して内筒と外筒との拘束を解き、内筒を固定した状態でシリンダ錠をガイドブロックの案内洞内で上下方向に移動させる際、案内洞の内側面に固定された突部と少なくともころがり接触に近似した係合をなす凹部を外筒に形成したので、シリンダ錠の上下動を外筒の回転に変換でき、合鍵をシリンダ錠の鍵孔に挿し込まない限り外側スライダを不動にし、また、合鍵を鍵孔に挿し込んだ後はシリンダ錠を上下動可能にして、簡単な機構で手が不自由な人でも施解錠ができるようにした。
【実施例１】
【００１９】
以下、請求項１に記載の発明の実施例を図面を参照して説明する。
図１において符号１はガイドブロックを示し、このガイドブロック１は扉２の外面（図で左側の面）に固定して装着されている。
【００２０】
このガイドブロック１の前面（外面）中央には、図１乃至図４に示すように、大体の形状が外面から見て縦長の長円形の案内洞３が、ガイドブロックを扉厚方向に貫通するように形成されている。
【００２１】
また、ガイドブロック１の前面には、その案内洞３の前面開口を覆って上下方向に移動可能にスライダ４が配設されている。
【００２２】
このスライダ４は、図５に示すように全体の形状が小判形の板状体であり、その両側端縁に形成された付番しない段部をガイドブロック１の前面に形成された溝部に摺動可能に係合させることにより（図１参照）、ガイドブロックの前面において上下方向に移動可能に案内されている。
【００２３】
また、図１及び図２に示すように、スライダ４の内面側中央部には内側に突出する短筒部５（図５参照）が形成されており、この短筒部５にシリンダ錠６の内筒７の小径前端部（キーガイド）を掴持する態様でスライダ４とシリンダ錠の内筒７とは一体的に結合されている。
【００２４】
上記スライダ４とキーガイドとの結合は、例えばスライダの短筒部５にキーガイドを固く填め合わせる、或いは打込む、等の結合手段を採ることができる。
【００２５】
一方、シリンダ錠の外筒８の前端部には、図１及び図２に示すように、リング状のばね掛け部材９が例えばかしめ付け、等の結合手段により装着されている。
【００２６】
このばね掛け部材９は、例えば図６及び図７に示すように、底の抜けた浅いカップ状に成形され、外筒の前端部に固く嵌合するようにして装着される結合リング１１の前面に、半円形の環堤部１２を同軸に突出形成したものである。
【００２７】
なお、この環堤部１２とシリンダ錠の外筒８との相対位置関係を、外筒８が内筒７に対し基準角度位置にあるとき、図４に点線で示す環堤部１２が上向きの略Ｕ字形になるように設定する。
【００２８】
ここで外筒の基準角度位置とは、内筒の鍵孔に合鍵を挿抜できる角度位置と定義する。
【００２９】
通常のシリンダ錠の使用の態様は、外筒を固定し、固定された外筒に対し内筒をタンブラーにより係止した状態を施錠状態とし、合鍵を鍵孔に挿入して内筒の拘束を解き、内筒を合鍵によって回すことにより解錠操作を行うが、この発明では、内筒７をスライダ４により固定する一方、外筒８を内筒の回りで相対的に回動させて使用するので、上記したように外筒の基準角度位置という新しい概念が生じる。
【００３０】
ちなみに、シリンダ錠にはピンシリンダ錠、ディスクタンブラー錠、レバータンブラー錠等種々のものが実用されているが、この発明の機構に使用するシリンダ錠は、ディスクタンブラー錠やレバータンブラー錠等、外筒と内筒が同軸に嵌合しているものが望ましい。
【００３１】
一方、図５に示すように、スライダ４の裏面側で前記短筒部５の周囲には、大小の半円形を上下方向に接続した形の凹陥部１３が形成されており、シリンダ錠６は、この凹陥部１３内に環堤部１２を係入させるようにして（図２参照）、かつスライダ４を介して、ガイドブロック１に支持案内されている。
【００３２】
他方、図１、図２及び図４に示すように、環堤部１２の回りには捩りコイルばね１４が巻装されていて、その端部１４ａは環堤部１２の上端縁及び凹陥部１３の段部１５（図５参照）に掛け止められている。
【００３３】
その結果、外筒８は常時上記基準角度位置方向に付勢され、シリンダ錠を正面から見て外筒８が基準角度位置から時計方向、或いは反時計方向に変位しても、もとの基準角度位置に自動的に戻る。
【００３４】
なお、ガイドブロック全体及びスライダ４を覆うように円錐台形の化粧リング１６（図１及び図２参照）が装着されており、この化粧リング１７の前面には、図８に示すように、シリンダ錠の内筒７のキーガイドと遊嵌できる縦長の長孔１７が開口している。
【００３５】
一方、図３に示すように、案内洞３の一方（図３では正面から見て右方）の内側面中央には紙面方向の突条１８が形成されている。
【００３６】
これに対応して、案内洞３の上方に位置し、基準角度位置にあるシリンダ錠の外筒８の、時計盤面に換算して３時の角度位置の母線を挟んで、一対の凹条１９、１９が外筒の母線に沿って夫々所定の長さにわたって形成されている。
【００３７】
なお、上記突条１８及び凹条１９の紙面方向の寸法を小さくして突部、或いは凹部としても良い。
【００３８】
これら突条１８及び凹条１９の扉面に平行な平面による断面形状は、シリンダ錠の鍵孔に合鍵を挿入して内筒７と外筒８との拘束を解いた状態でスライダ４を上下させたとき、これらがころがり接触或いはこれに近似した係合をなすように設定されている。
【００３９】
ここにころがり接触とは機構学上の概念で、例えば図９に示すように、レバーＡとレバーＢとが夫々Ｏａ、Ｏｂを中心として矢印ａ、ｂ方向に回動するとき、その接触点Ｐが何時も線分ＯａＯｂ上にあるようにレバーＡ、Ｂの形状が設定されていれば、レバーＡＢの接触点に滑りが生ぜず、円滑なころがり接触となる。
【００４０】
機構学上のころがり接触は回動中心が固定されたレバーの対偶の一つであるが、図３及び図１０乃至図１４に示すように、固定された突条１８に対しシリンダ錠の外筒８が内筒の回りを回動しながら下降していく過程における突条１８と凹条１９との接触も、突条１８及び凹条１９の断面形状を適切に設定すればころがり接触或いはこれに近似した係合とすることができ、その一つの設計例が図３及び図１０乃至図１４に示されている。
【００４１】
すなわち、図３はこの発明による施解錠機構の解錠状態を示し、このときシリンダ錠の鍵孔２１に異鍵を差込んでも内筒７と外筒８との拘束は解けないから、異鍵を下方に押動してもこれと一体の内筒及び外筒は突条１８に係止され、シリンダ錠は動かない。
【００４２】
一方、鍵孔２１に合鍵を差込むと、シリンダ錠の外筒８は内筒７からの拘束を解かれ、内筒の回りを相対的に回動可能になる。
【００４３】
そのため、例えばシリンダ錠の上下方向の設定移動量を１１ｍｍとして、図１０に示すように１ｍｍ下降させると、外筒８は反時計方向に少し回動しつつ、シリンダ錠は１ｍｍ下降する。
【００４４】
このとき、突条１８と凹条１９とがころがり接触をするので、外筒８と案内洞３との間にきしみや滑りが生じることなく、外筒８は円滑に回動し、スライダ４は円滑に下降する。
【００４５】
以降、同様にして、シリンダ錠が４ｍｍ下降して図１１のようになり、７ｍｍ下降すると、外筒８は図１２に示すような角度位置をとる。
【００４６】
そして、図１３に示すように凹条１９が突条１８を完全に乗り越えると、前記した捩りコイルばね１４（図４参照）の弾力により外筒に時計方向の復元力が作用し、図１７に示すようにシリンダ錠が１１ｍｍ下降すると、前記捩りコイルばね１４の弾力によって外筒８は基準角度位置に戻り、施解錠機構は施錠状態になる。
【００４７】
この施錠状態では外筒８は基準角度位置にあるから、合鍵を抜いて例えば外出をすることができる。
【００４８】
反対に、下降したシリンダ錠の鍵孔に合鍵を差込み、これを捩らずに押上げれば、図３に示す解錠状態に戻る。
【００４９】
上記したスライダ４と一体のシリンダ錠の上下動は、内筒の内端に突設されたテールピース２２（図２参照）を介して、ガイドブロック１の内側において上下方向に移動可能に案内されたラック板２３（図１及び図２参照）に伝達され、これと噛み合い係合をするピニオン２４を回動させ、このピニオン２４は錠箱のデッドボルト等の錠止部材の操作機構を作動させて錠前を施解錠する。
【００５０】
なお、図示の実施例における錠止部材の操作機構は、本出願人が先に出願した特願２００４−１１５１８８に記載されている上、本願発明の要旨には関係が無いので、更に詳細な説明を省略する。
【００５１】
また、室内側から施解錠するには、図示の実施例では、サムターン座２５に上下方向に移動可能に案内されたサムターン２６の内端に内側ラック２７を結合し、サムターン２６を上下動させることにより内側ピニオン２８を回動させている（図１及び図２参照）。
【００５２】
この内側ピニオン２８と錠止部材の操作機構との連係は、本願発明の要旨には関係が無い上、例えば内側ピニオンに同軸に連結した図示しない操作軸をサムターン座外に突出させ、この突出した部分に水平なレバーを結合してその先端を上下させれば、図示のサムターンと同様手を捩らなくても室内側からの施解錠が自由であるから、サムターンによる施解錠機構は本願発明の成立に関係が無い。
【実施例２】
【００５３】
図１６乃至図１８は請求項２及び３に記載の発明による実施例を示し、図中符号１は前記したガイドブロックと同様の構成のガイドブロックを示す。
【００５４】
このガイドブロック１は、全体の形状が台形のブロック体で、図１６及び図１７に示すように、室内側から呼び付けられるようにして扉２の外面に固定される台座ブロック３０に、例えばねじ止めにより固定される（図１９参照）。
【００５５】
上記ガイドブロック１には、前記した図２に示すガイドブロックと同様に、外面から見て縦長の長円形の案内洞３が、ガイドブロックを扉厚方向に貫通するように形成されている。
【００５６】
また、ガイドブロック１の前面（外面）には、所定の幅のガイド溝２９（図１８参照）が形成されており、このガイド溝２９に、案内洞３の前面開口を覆って上下方向に移動可能にスライダ４が配設されている。
【００５７】
このスライダ４は、図８に示すように全体の形状が小判形の厚板体であり、その両側端縁に形成された付番しない段部をガイド溝２９の開口端縁部に形成された段部に摺動可能に係合されることにより、ガイドブロックの前面において上下方向に移動可能に案内されている。
【００５８】
また、図１７及び図１８に示すように、スライダ４の中央外面には摺り鉢形の案内面３１が、更にまた、図１６及び図１７に示すように、スライダ中央内面側に円形の保持孔３２が形成されている。
【００５９】
そして、この保持孔３２には、シリンダ錠６の内筒７、正確には内筒の外端の小径のキーガイドを掴持する態様で、スライダ４とシリンダ錠の内筒７とが一体的に結合されている。
【００６０】
上記スライダ４とキーガイドとの結合は、例えば保持孔３２にキーガイドを固く填め合わせる、或いは打込む、等の結合手段を採ることができる。
【００６１】
一方、図１８に示すように、案内洞３の室外側から見て左側の側面にはラック歯列３３が形成されており、これに対応して、図１９にに示すように、シリンダ錠の外周面に歯車３４が一体に形成されていて、これらラック歯列及び歯車３４は噛み合い係合をしている。
【００６２】
なお、図１９に示すように、ラック歯列３３を形成する各ラック歯、及び歯車３４を形成する各歯はシリンダ錠の外筒の母線方向に延在しており、歯車３４はシリンダ錠６に遮られるので点線で示されている。
【００６３】
他方、図１６及び図１７に示すように、ガイドブロック１の内側における台座ブロック３０には、ラック板２３が上下方向に移動可能に支持、案内されており、このラック板２３は、図１９に示すように、前記ピニオンと均等の部材であるピニオン２４と噛み合い係合している。
【００６４】
なお、上記ラック板２３は、図示しないテールピースを介して、シリンダ錠の内筒７に連結されている。
【００６５】
また、図１６及び図１８に示すように、スライダ４とガイドブロック１の摺動面を跨いで、上下方向に延在するばね収納洞３５が形成されており、このばね収納洞３５内には、圧縮コイルばねとしてのばね部材３６のが弾装されている。
【００６６】
このばね部材としては、上記した圧縮コイルばねに限らず、例えば松葉ばねや竹の子ばね等他のばね部材でもよい。
【００６７】
なお、上記ばね収納洞３５は、上下方向の寸法が等しい二つの切欠からなり、一つはスライダ４の側端縁に、他はガイドブロックのガイド溝２９（図１８）に形成され、図示の実施例では、その横断面形状は方形である（図１６参照）。
【００６８】
また、図１６乃至図１９において、図１と等符号を付した部分は図１と均等な部分を示す。
【００６９】
上記のように構成された請求項１及び２に記載された発明の一実施例による施解錠機構は、スライダ４に外力が作用しない常態においては、図１８及び図２０に示すように、ばね部材３６の弾力により、シリンダ錠は長孔１７の上下方向における中央に定座している。
【００７０】
それは、少しでも上下方向に変移すれば、その分ばね部材３６が圧縮されるので、元の安定な状態に戻ろうとしてスライダ４が変移した方向とは逆方向に動かされるからである。
【００７１】
この状態は、デッドボルト等の錠止部材が施錠状態にあっても、また、解錠状態にあっても変らない。
【００７２】
図１６及び図１７において錠箱内の錠止部材が解錠状態にあるものとし、この状態でシリンダ錠の鍵孔に異鍵を差込んでも内筒７と外筒８との拘束は解けないから、異鍵を上下何れの方向に押動しても、これと一体の内筒及び外筒はラック歯列３３に係止され、シリンダ錠は動かない。
【００７３】
そのため、図２１に示すように、ラック板２３とピニオン２４との相対位置関係は変らず、換言すればピニオン２４は解錠角度位置にあるので、デッドボルト等の錠止部材を動かすことができない。
【００７４】
一方、鍵孔２１に合鍵を差込むと、シリンダ錠の外筒８は内筒７からの拘束を解かれ、内筒の回りを相対的に回動可能になる。
【００７５】
そのため、図２２乃至図２４に示すように施錠のため合鍵を押上げると、スライダ４、シリンダ錠及びラック板２３はばね部材３６を押し縮めながら上昇し、ピニオン２４が図２４で反時計方向に回動して、錠箱内の錠止部材を施錠状態にする。
【００７６】
次いで、合鍵から手を離すと、ばね部材３６の弾力によってスライダ４が図２０に示す常態位置に迄下降するので、鍵孔から合鍵を抜いて外出する。
【００７７】
この作動は、帰宅後合鍵を鍵孔に差込んで押し下げれば、錠箱内の錠止機構は上記したとは反対方向に作動し、解錠が行われる。
【図面の簡単な説明】
【００７８】
【図１】請求項１に記載の発明の一実施例による施解錠機構の水平断面図で、解錠状態を示す。
【図２】請求項１に記載の発明の一実施例による施解錠機構の垂直断面図で、解錠状態を示す。
【図３】案内洞とシリンダ錠との係合の態様を説明する線図で、解錠状態を示す。
【図４】ガイドブロックの正面図で、化粧リングを取り外して示す。
【図５】スライダの裏面図。
【図６】ばね掛け部材の正面図。
【図７】その断面図。
【図８】ガイドブロックの正面図。
【図９】ころがり接触を説明するための線図。
【図１０】案内洞とシリンダ錠との係合の態様を説明する線図で、シリンダ錠が解錠状態から１ｍｍ下降した状態を示す。
【図１１】案内洞とシリンダ錠との係合の態様を説明する線図で、シリンダ錠が解錠状態から４ｍｍ下降した状態を示す。
【図１２】案内洞とシリンダ錠との係合の態様を説明する線図で、シリンダ錠が解錠状態から７ｍｍ下降した状態を示す。
【図１３】案内洞とシリンダ錠との係合の態様を説明する線図で、シリンダ錠が解錠状態から９ｍｍ下降した状態を示す。
【図１４】案内洞とシリンダ錠との係合の態様を説明する線図で、施解錠機構が施錠状態となり、外筒が基準角度位置に復帰した状態を示す。
【図１５】サムターン座の正面図。
【図１６】請求項２に記載の発明の一実施例による施解錠機構の水平断面図で、解錠状態を示す。
【図１７】請求項２に記載の発明の一実施例による施解錠機構の垂直断面図で、解錠状態を示す。
【図１８】請求項２に記載の発明の一実施例による施解錠機構の常態におけるガイドブロックの正面図で、化粧リングを取り外して示す。
【図１９】請求項２に記載の発明の一実施例による施解錠機構の図１７と同様の垂直断面図で、解錠した後手を離さない状態を示す。
【図２０】請求項２に記載の発明の一実施例による施解錠機構の常態における正面図。
【図２１】請求項２に記載の発明の一実施例におけるガイドブロックの裏面図で、常態を示す。
【図２２】図２０と同様の正面図で、解錠操作を完了したが合鍵から手を離していない状態を示す。
【図２３】図１８と同様の化粧リングを取り外して示すガイドブロックの正面図で、解錠操作を完了したが合鍵から手を離していない状態を示す。
【図２４】図２１と同様のガイドブロックの裏面図で、解錠操作を完了したが合鍵から手を離していない状態を示す。
【符号の説明】
【００７９】
１  ガイドブロック
２  扉
３  案内洞
４  スライダ
５  短筒部
６  シリンダ錠
７  内筒
８  外筒
９  ばね掛け部材
１１  結合リング
１２  環堤部
１３  凹陥部
１４  捩りコイルばね
１５  段部
１６  化粧リング
１７  長孔
１８  突条
１９  凹条
２１  鍵孔
２２  テールピース
２３  ラック板
２４  ピニオン
２５  サムターン軸
２６  サムターン
２７  内側ラック
２８  内側ピニオン
２９  ガイド溝
３０  台座ブロック
３１  案内面
３２  保持孔
３３  ラック歯列
３４  歯車
３５  ばね収納洞
３６  ばね部材
【図１】
2006342637.tif 000003
【図２】
2006342637.tif 000004
【図３】
2006342637.tif 000005
【図４】
2006342637.tif 000006
【図５】
2006342637.tif 000007
【図６】
2006342637.tif 000008
【図７】
2006342637.tif 000009
【図８】
2006342637.tif 000010
【図９】
2006342637.tif 000011
【図１０】
2006342637.tif 000012
【図１１】
2006342637.tif 000013
【図１２】
2006342637.tif 000014
【図１３】
2006342637.tif 000015
【図１４】
2006342637.tif 000016
【図１５】
2006342637.tif 000017
【図１６】
2006342637.tif 000018
【図１７】
2006342637.tif 000019
【図１８】
2006342637.tif 000020
【図１９】
2006342637.tif 000021
【図２０】
2006342637.tif 000022
【図２１】
2006342637.tif 000023
【図２２】
2006342637.tif 000024
【図２３】
2006342637.tif 000025
【図２４】
2006342637.tif 000026